【手続補正書】
【提出日】平成25年11月18日(2013.11.18)
【手続補正１】
【補正対象書類名】特許請求の範囲
【補正対象項目名】全文
【補正方法】変更
【補正の内容】
【特許請求の範囲】
【請求項１】
画像を画面に表示する画像表示部と、指の接触位置を時間経過に応じて逐次出力するタッチパネルと、該タッチパネルに接触した当該指によって与えられる押圧力を検出する押圧力検出部とを備えており、当該画像に対応する投影像を投影対象に映出するための信号を生成するユーザインタフェース装置であって、
当該指が前記タッチパネルに接触したか否かを判定する接触判定手段と、
前記押圧力が所定閾値以上であるか否かを判定する押圧力判定手段と、
前記接触判定手段が真の判定を行った際、接触した当該指による操作に対応した動作を発動させ、該動作に応じて前記画面に表示された画像を制御し、さらに前記押圧力判定手段が真の判定を行った際、当該指による押し込み操作に対応した動作を発動させ、該動作に応じて前記画面に表示された画像を制御する動作・画像制御手段と、
前記接触判定手段が真の判定を行った際、前記投影対象に映出された投影像内の位置であって、当該指の接触位置に相当する位置を指し示すポインタを映出するためのポインタ情報を生成するポインタ情報生成手段と、
前記ポインタ情報と、前記動作・画像制御手段によって制御された画像とを前記投影対象に投影するための投影像信号を生成する投影像信号生成手段と
を有することを特徴とするユーザインタフェース装置。
【請求項２】
前記接触判定手段は、当該指の接触位置が前記画像表示部に表示された画像に含まれる操作対象であるオブジェクトの表示位置範囲と重畳したか否かを判定し、
前記動作・画像制御手段は、前記接触判定手段が当該オブジェクトの表示位置範囲に関して真の判定を行い且つ前記押圧力判定手段が真の判定を行った際、当該オブジェクトの機能を発動させる操作が行われたとして対応する動作を発動させ、該動作に応じて前記画面に表示された画像を制御する
ことを特徴とする請求項１に記載のユーザインタフェース装置。
【請求項３】
前記接触判定手段が当該オブジェクトの表示位置範囲に関して真の判定を行った際、前記動作・画像制御手段は、当該オブジェクトを選択する操作が行われたとして対応する動作を発動させ、該動作に応じて前記画面に表示された画像を制御することを特徴とする請求項２に記載のユーザインタフェース装置。
【請求項４】
前記投影像信号を、外部のプロジェクタに出力するための投影像信号出力端子をさらに有することを特徴とする請求項１から３のいずれか１項に記載のユーザインタフェース装置。
【請求項５】
前記ポインタ情報と、前記動作・画像制御手段によって制御された画像とを前記投影対象に投影するプロジェクタ光学系と、
前記投影像信号を入力し、該投影像信号に応じて前記プロジェクタ光学系を制御するプロジェクタ制御手段と
をさらに有することを特徴とする請求項１から４のいずれか１項に記載のユーザインタフェース装置。
【請求項６】
ユーザの操作から見て、前記投影対象に映出された前記ポインタの指し示す位置を見て確認しつつ当該指による操作を実行することができるように、前記投影像信号生成手段は、該ポインタに対応するポインタ情報を含む投影像信号を生成することを特徴とする請求項１から５のいずれか１項に記載のユーザインタフェース装置。
【請求項７】
画像を画面に表示する画像表示部と、指の接触位置を時間経過に応じて逐次出力するタッチパネルと、該タッチパネルに接触した当該指によって与えられる押圧力を検出する押圧力検出部とを備えており、当該画像に対応する投影像を投影対象に映出するための信号を生成するユーザインタフェース装置に搭載されたプログラムであって、
当該指が前記タッチパネルに接触したか否かを判定する接触判定手段と、
前記押圧力が所定閾値以上であるか否かを判定する押圧力判定手段と、
前記接触判定手段が真の判定を行った際、接触した当該指による操作に対応した動作を発動させ、該動作に応じて前記画面に表示された画像を制御し、さらに前記押圧力判定手段が真の判定を行った際、当該指による押し込み操作に対応した動作を発動させ、該動作に応じて前記画面に表示された画像を制御する動作・画像制御手段と、
前記接触判定手段が真の判定を行った際、前記投影対象に映出された投影像内の位置であって、当該指の接触位置に相当する位置を指し示すポインタを映出するためのポインタ情報を生成するポインタ情報生成手段と、
前記ポインタ情報と、前記動作・画像制御手段によって制御された画像とを前記投影対象に投影するための投影像信号を生成する投影像信号生成手段と
してコンピュータを機能させることを特徴とするユーザインタフェース装置用のプログラム。
【請求項８】
画像を画面に表示する画像表示部と、指の接触位置を時間経過に応じて逐次出力するタッチパネルと、該タッチパネルに接触した当該指によって与えられる押圧力を検出する押圧力検出部とを備えており、当該画像に対応する投影像を投影対象に映出するための信号を生成するユーザインタフェース装置における画像投影方法であって、
当該指が前記タッチパネルに接触したか否かを判定する第１のステップと、
第１のステップで真の判定がなされた際、接触した当該指による操作に対応した動作を発動させ、該動作に応じて前記画面に表示された画像を制御する第２のステップと、
前記押圧力が所定閾値以上であるか否かを判定する第３のステップと、
第１のステップで真の判定がなされ且つ第３のステップで真の判定がなされた際、当該指による押し込み操作に対応した動作を発動させ、該動作に応じて前記画面に表示された画像を制御する第４のステップと、
第１のステップで真の判定がなされた際、前記投影対象に映出された投影像内の位置であって、当該指の接触位置に相当する位置を指し示すポインタを映出するためのポインタ情報を生成する第５のステップと、
前記ポインタ情報と、第２のステップ及び第４のステップで制御された画像とを前記投影対象に投影するための投影像信号を生成する第６のステップと
を有することを特徴とする画像投影方法。
【手続補正２】
【補正対象書類名】明細書
【補正対象項目名】００１３
【補正方法】変更
【補正の内容】
【００１３】
本発明によれば、画像を画面に表示する画像表示部と、指の接触位置を時間経過に応じて逐次出力するタッチパネルと、このタッチパネルに接触した指によって与えられる押圧力を検出する押圧力検出部とを備えており、画像に対応する投影像を投影対象に映出するための信号を生成するユーザインタフェース装置であって、
指がタッチパネルに接触したか否かを判定する接触判定手段と、
押圧力が所定閾値以上であるか否かを判定する押圧力判定手段と、
接触判定手段が真の判定を行った際、接触した指による操作に対応した動作を発動させ、この動作に応じて画面に表示された画像を制御し、さらに押圧力判定手段が真の判定を行った際、指による押し込み操作に対応した動作を発動させ、この動作に応じて画面に表示された画像を制御する動作・画像制御手段と、
接触判定手段が真の判定を行った際、投影対象に映出された投影像内の位置であって、指の接触位置に相当する位置を指し示すポインタを映出するためのポインタ情報を生成するポインタ情報生成手段と、
ポインタ情報と、動作・画像制御手段によって制御された画像とを投影対象に投影するための投影像信号を生成する投影像信号生成手段と
を有するユーザインタフェース装置が提供される。
【手続補正３】
【補正対象書類名】明細書
【補正対象項目名】００１４
【補正方法】変更
【補正の内容】
【００１４】
また、本発明によるユーザインタフェース装置によれば、接触判定手段は、指の接触位置が画像表示部に表示された画像に含まれる操作対象であるオブジェクトの表示位置範囲と重畳したか否かを判定し、
動作・画像制御手段は、接触判定手段がオブジェクトの表示位置範囲に関して真の判定を行い且つ押圧力判定手段が真の判定を行った際、オブジェクトの機能を発動させる操作が行われたとして対応する動作を発動させ、この動作に応じて画面に表示された画像を制御することも好ましい。
【手続補正４】
【補正対象書類名】明細書
【補正対象項目名】００１９
【補正方法】変更
【補正の内容】
【００１９】
本発明によれば、さらに、画像を画面に表示する画像表示部と、指の接触位置を時間経過に応じて逐次出力するタッチパネルと、このタッチパネルに接触した指によって与えられる押圧力を検出する押圧力検出部とを備えており、画像に対応する投影像を投影対象に映出するための信号を生成するユーザインタフェース装置に搭載されたプログラムであって、
指がタッチパネルに接触したか否かを判定する接触判定手段と、
押圧力が所定閾値以上であるか否かを判定する押圧力判定手段と、
接触判定手段が真の判定を行った際、接触した指による操作に対応した動作を発動させ、この動作に応じて画面に表示された画像を制御し、さらに押圧力判定手段が真の判定を行った際、指による押し込み操作に対応した動作を発動させ、この動作に応じて画面に表示された画像を制御する動作・画像制御手段と、
接触判定手段が真の判定を行った際、投影対象に映出された投影像内の位置であって、指の接触位置に相当する位置を指し示すポインタを映出するためのポインタ情報を生成するポインタ情報生成手段と、
ポインタ情報と、動作・画像制御手段によって制御された画像とを投影対象に投影するための投影像信号を生成する投影像信号生成手段と
してコンピュータを機能させるユーザインタフェース装置用のプログラムが提供される。
【手続補正５】
【補正対象書類名】明細書
【補正対象項目名】００２０
【補正方法】変更
【補正の内容】
【００２０】
本発明によれば、さらにまた、画像を画面に表示する画像表示部と、指の接触位置を時間経過に応じて逐次出力するタッチパネルと、このタッチパネルに接触した指によって与えられる押圧力を検出する押圧力検出部とを備えており、画像に対応する投影像を投影対象に映出するための信号を生成するユーザインタフェース装置における画像投影方法であって、
指がタッチパネルに接触したか否かを判定する第１のステップと、
第１のステップで真の判定がなされた際、接触した指による操作に対応した動作を発動させ、この動作に応じて画面に表示された画像を制御する第２のステップと、
押圧力が所定閾値以上であるか否かを判定する第３のステップと、
第１のステップで真の判定がなされ且つ第３のステップで真の判定がなされた際、指による押し込み操作に対応した動作を発動させ、この動作に応じて画面に表示された画像を制御する第４のステップと、
第１のステップで真の判定がなされた際、投影対象に映出された投影像内の位置であって、指の接触位置に相当する位置を指し示すポインタを映出するためのポインタ情報を生成する第５のステップと、
ポインタ情報と、第２のステップ及び第４のステップで制御された画像とを投影対象に投影するための投影像信号を生成する第６のステップと
を有する画像投影方法が提供される。